【手続補正書】
【提出日】平成25年1月31日(2013.1.31)
【手続補正１】
【補正対象書類名】特許請求の範囲
【補正対象項目名】全文
【補正方法】変更
【補正の内容】
【特許請求の範囲】
【請求項１】
電力変換器において使用する制御回路であって、
前記制御回路に結合されるべき電力スイッチの切換を制御するための駆動信号を発生させて、電力変換器出力に結合されるべき１つ以上の負荷のエネルギ要件に応答して前記電力変換器出力へのエネルギの流れを調整するように結合される駆動信号発生器と、
前記１つ以上の負荷のエネルギ要件が第１の期間よりも長くしきい値を下回ると、前記駆動信号発生器を休止状態にすることによって、前記駆動信号発生器による前記電力変換器出力へのエネルギの流れの調整を中止するように結合される、無調整の休止モード制御回路とを備え、
前記駆動信号発生器は、休止状態であれば、前記１つ以上の負荷のエネルギ要件の変化に応答しないように結合され、
前記無調整の休止モード制御回路は、第２の期間の経過後に前記駆動信号発生器をパワーアップするように結合され、
前記駆動信号発生器は、前記第２の期間の経過後に前記１つ以上の負荷のエネルギ要件の変化に再び応答するように結合される、制御回路。
【請求項２】
前記１つ以上の負荷のエネルギ要件は、前記制御回路によって受信されるように結合されるフィードバック信号に応答して決定される、請求項１に記載の制御回路。
【請求項３】
前記１つ以上の負荷のエネルギ要件は、前記制御回路によって受信されるように結合される前記フィードバック信号の大きさに応答して決定される、請求項２に記載の制御回路。
【請求項４】
前記フィードバック信号の大きさは電圧値または電流値である、請求項３に記載の制御回路。
【請求項５】
前記１つ以上の負荷のエネルギ要件は、前記駆動信号のスイッチング周波数に応答して決定される、請求項１に記載の制御回路。
【請求項６】
前記電力変換器はフライバック変換器である、請求項１に記載の制御回路。
【請求項７】
前記第１の期間は、ｎ個の連続する駆動信号間の時間が第３の期間を上回ると、前記第２の期間の開始を行うイベントカウンタによって決定される、請求項１に記載の制御回路。
【請求項８】
前記第３の期間は、前記制御回路の一部を形成する発振器回路の５０〜２５０サイクルの間の期間である、請求項７に記載の制御回路。
【請求項９】
前記第２の期間は、前記制御回路に結合されるべきコンデンサによって決定される、請求項１に記載の制御回路。
【請求項１０】
前記制御回路に結合されるべきコンデンサは、前記制御回路用の外部バイパスコンデンサを含む、請求項９に記載の制御回路。
【請求項１１】
前記無調整の休止モード制御回路に応答して前記コンデンサを充電するように結合されるべきレギュレータ回路をさらに含み、
前記レギュレータ回路は、前記１つ以上の負荷のエネルギ要件が前記第１の期間よりも長く前記しきい値を下回る場合には前記コンデンサを充電しないように、および、前記第
２の期間の経過後に前記コンデンサを再び充電するように結合される、請求項９に記載の制御回路。
【請求項１２】
前記電力スイッチは金属酸化物半導体電界効果トランジスタ（ＭＯＳＦＥＴ）またはバイポーラトランジスタを含む、請求項１に記載の制御回路。
【請求項１３】
前記電力スイッチは、エネルギ伝達要素を通る前記電力変換器出力へのエネルギの流れを調整するように結合され、
前記エネルギ伝達要素は絶縁出力巻線を含み、
前記１つ以上の負荷のうちの１つが前記絶縁出力巻線に結合される、請求項１に記載の制御回路。
【請求項１４】
前記１つ以上の負荷のうちの前記１つは、前記電力変換器の出力端子に結合される負荷および予負荷インピーダンスを含む、請求項１２に記載の制御回路。
【請求項１５】
前記電力スイッチは、エネルギ伝達要素を通る前記電力変換器出力へのエネルギの流れを調整するよう結合され、
前記エネルギ伝達要素は非絶縁検知巻線を含み、
前記１つ以上の負荷のうちの１つが前記非絶縁検知巻線に結合される、請求項１に記載の制御回路。
【請求項１６】
前記電力スイッチは、エネルギ伝達要素を通る前記電力変換器出力へのエネルギの流れを調整するよう結合され、
前記エネルギ伝達要素は非絶縁バイアス巻線を含み、
前記１つ以上の負荷のうちの１つが前記非絶縁バイアス巻線に結合される、請求項１に記載の制御回路。
【請求項１７】
前記電力スイッチは、エネルギ伝達要素を通る前記電力変換器出力へのエネルギの流れを調整するよう結合され、
前記エネルギ伝達要素は、絶縁出力巻線および非絶縁バイアス巻線を含み、
前記１つ以上の負荷のうちの１つが前記絶縁出力巻線に結合され、前記１つ以上の負荷のうち他の１つが前記非絶縁バイアス巻線に結合される、請求項１に記載の制御回路。
【請求項１８】
前記電力スイッチは、エネルギ伝達要素を通る前記電力変換器出力へのエネルギの流れを調整するように結合され、
前記エネルギ伝達要素は非絶縁出力巻線を含み、
前記１つ以上の負荷のうちの１つは、前記非絶縁出力巻線に結合される、組合された検知およびバイアス負荷を含む、請求項１に記載の制御回路。
【請求項１９】
前記電力スイッチは、エネルギ伝達要素を通る前記電力変換器出力へのエネルギの流れを調整するよう結合され、
前記エネルギ伝達要素は、絶縁出力巻線および非絶縁出力巻線を含み、
前記１つ以上の負荷のうちの１つは、前記絶縁出力巻線に結合され、前記負荷のうち他の１つは、前記非絶縁出力巻線に結合される、組合された検知およびバイアス負荷を含む、請求項１に記載の制御回路。
【請求項２０】
電力変換器の出力を制御するための方法であって、
１つ以上の負荷のエネルギ要件に応答して、前記電力変換器の出力に結合される前記１
つ以上の負荷へのエネルギの流れを調整するための駆動信号を発生させることと、
前記１つ以上の負荷のエネルギ要件が第２の期間よりも長くしきい値を下回ると、第１の期間にわたって前記１つ以上の負荷へのエネルギの流れの調整を中止することと、
前記第１の期間中は前記１つ以上の負荷のエネルギ要件に応答しないことと、
前記第１の期間の経過後に、前記１つ以上の負荷へのエネルギの流れの調整を再開することとを含む、方法。
【請求項２１】
前記負荷のうちの１つは、電力変換器出力に結合される検知回路である、請求項２０に記載の方法。
【請求項２２】
前記負荷のうちの１つは、前記電力変換器出力のうちの１つに結合される、組合された検知およびバイアス回路である、請求項２０に記載の方法。
【請求項２３】
前記負荷のうちの１つは、前記電力変換器の出力端子に結合される負荷と組合される予負荷インピーダンスである、請求項２０に記載の方法。
【請求項２４】
前記第１の期間にわたって前記１つ以上の負荷へのエネルギの流れの調整を中止することは、組合される予負荷および負荷のエネルギ要件が前記第２の期間よりも長く前記しきい値を下回るとエネルギの流れを中止することを含む、請求項２３に記載の方法。
【請求項２５】
前記１つ以上の負荷のうちの１つは、前記電力変換器の出力端子に結合される、請求項２０に記載の方法。
【請求項２６】
前記第１の期間にわたって前記１つ以上の負荷へのエネルギの流れの調整を中止することは、前記電力変換器の出力端子に結合される前記１つ以上の負荷のうちの１つのエネルギ要件が前記第２の期間よりも長く前記しきい値を下回るとエネルギの流れを中止することを含む、請求項２５に記載の方法。
【請求項２７】
電力変換器において使用する制御回路であって、前記制御回路は、
電力スイッチの切換を制御するための駆動信号を発生させて、前記電力変換器の出力を調整するように結合される駆動信号発生器と、
前記駆動信号の２つのパルス間の時間がしきい値期間を上回るかどうかを示すために前記駆動信号発生器に結合されたパワーダウン検出回路と、
前記パワーダウン検出回路に結合されて、前記パワーダウン検出回路が、前記駆動信号のパルス間の時間がしきい値連続回数にわたって前記しきい値期間を上回ったことを示す場合、第１の期間にわたって前記駆動信号発生器を休止状態にするイベント検出回路とを含む、制御回路。
【請求項２８】
前記制御回路の外部にあるタイマに結合されるべき端子をさらに含み、
前記第１の期間が前記タイマに応答して決定される、請求項２７に記載の制御回路。
【請求項２９】
前記第１の期間が経過した後に前記駆動信号発生器をパワーアップするよう結合されたパワーアップ検出回路をさらに含む、請求項２７に記載の制御回路。
【請求項３０】
前記駆動信号発生器が休止状態であり、前記第１の期間の経過後に負荷のエネルギ要件の変化に応答する場合、前記駆動信号発生器は、前記負荷のエネルギ要件の変化に応答しないように結合される、請求項２９に記載の制御回路。
【請求項３１】
前記パワーダウン検出回路に結合された発振器をさらに含み、
前記しきい値期間は、前記発振器の発振器サイクルのしきい値数を含む、請求項２７に記載の制御回路。
【請求項３２】
前記パワーダウン検出回路は、前記発振器のサイクルをカウントするためのパワーダウンカウンタを含み、
前記イベント検出回路は、前記パワーダウン検出回路が発振器サイクルの前記しきい値数をカウントする回数をカウントするためのイベント検出カウンタを含む、請求項３１に記載の制御回路。
【請求項３３】
前記パワーダウンカウンタはさらに、前記パワーダウンカウンタが発振器サイクルの前記しきい値数をカウントする前に駆動信号パルスの発生に応答してリセットされるよう結合される、請求項３２に記載の制御回路。
【請求項３４】
前記イベント検出カウンタはさらに、前記パワーダウンカウンタが発振器サイクルの前記しきい値数をカウントする前に駆動信号パルスの発生に応答してリセットされるよう結合される、請求項３２に記載の制御回路。
【請求項３５】
電力変換器の出力を制御するための方法であって、
制御回路で駆動信号を発生させて、電力スイッチを制御することにより、フィードバック信号に応答して前記電力変換器の前記出力へのエネルギの流れを調整することと、
前記電力変換器の前記出力へのエネルギの流れが第１の期間よりも長くしきい値を下回る場合に、動作休止状態にすることとを含み、
前記動作休止状態は、前記駆動信号の発生を中止し、前記出力へのエネルギの流れの調整を停止するよう前記制御回路をパワーダウンすることを含み、前記制御回路は、前記動作休止状態時には前記フィードバック信号に応答せず、前記制御回路をパワーアップして、前記駆動信号の発生を再開し、第２の期間にわたる前記動作休止状態の後、前記フィードバック信号に応答して前記エネルギの流れの調整を再開する、方法。
【請求項３６】
電力変換器であって、
前記電力変換器の入力と出力との間に結合されるエネルギ伝達要素と、
前記電力変換器の前記入力から前記出力へのエネルギの伝達を調整するよう前記エネルギ伝達要素に結合されるスイッチと、
前記スイッチの切換えを制御するよう前記スイッチに結合される制御回路とを含み、
前記制御回路は、
前記出力に結合されるべき１つ以上の負荷のエネルギ要件に応答して前記出力を調整するために、前記スイッチの切換えを制御するべき駆動信号を発生させるよう結合される駆動信号発生器と、
前記１つ以上の負荷の前記エネルギ要件が第１の期間よりも長くしきい値を下回ると、前記駆動信号発生器を休止状態にすることによって、前記駆動信号発生器による前記出力の調整を中止するように結合される無調整の休止モード制御回路とを含み、前記駆動信号発生器は、休止状態であれば、前記１つ以上の負荷のエネルギ要件の変化に応答しないように結合され、前記無調整の休止モード制御回路は、第２の期間の経過後に前記駆動信号発生器をパワーアップするように結合され、前記駆動信号発生器は、前記第２の期間の経過後に前記１つ以上の負荷のエネルギ要件の変化に再び応答するように結合される、電力変換器。